(57)【要約】      （修正有）【課題】三角コーナーに排水口の細かなゴミを入れやすくするための、目ザラ受け三角コーナーおよび、細かなゴミやマヨネーズ、ソース、ケチャップ、タレなどの粘体物のついた皿のゴミを、片手で投入しやすくなるごみ箱などの容器を提供する。【解決手段】三角コーナー１の上部縁の一部または、全周にわたり排水口の目ザラをたたきつけ、細かなゴミを落とし入れやすくするために、側壁の内面より内側に向かってせり出した突出部４，４Ａや、幅を広くした縁部分を形成したり、縁同士にさんを渡したり、さらに、ゴミ箱の側壁に突出部やさんを渡したりしたことを特徴とする、目ザラ受け三角コーナー１およびごみ箱などの容器。【選択図】図１
2015040083.tif 000002
【特許請求の範囲】
【請求項１】
三角コーナーの上部縁に排水口の目ザラをたたきつけ易くなるように、側壁の内面より内側に向かってせり出し、幅を広くした縁部分を一か所以上形成したことを特徴とする目ザラ受け三角コーナー。
【請求項２】
三角コーナーの排水口の目ザラをたたきつけ易くなるように、側壁の内面より内側に向かってせり出し、幅を広くした縁部分を全周にわたり形成したことを特徴とする、目ザラ受け三角コーナー。
【請求項３】
三角コーナーの短辺の上部縁から長辺の上部縁まで、一か所以上のさんを渡し目ザラをたたきつけ易くなるように、形成したことを特徴とする目ザラ受け三角コーナー。
【請求項４】
投入口が開放状態となり得る容器において、一方の側板上部より相対する側板に向かって突出部を一か所以上形成したことを特徴とする容器。
【請求項５】
投入口が開放状態となり得る容器において、一方の側板上部より相対する側板に向かって、さんを一か所以上渡すように形成したことを特徴とする容器。
【請求項６】
投入口が開放状態となり得る容器の袋押さえリングの一辺より、相対する一辺に向かって突出部を一か所以上形成したこと特徴とする容器。
【請求項７】
投入口が開放状態となり得る容器の袋押さえリングの一辺より、相対する一辺に向かって、さんを一か所以上渡すように形成したこと特徴とする容器。
【請求項８】
突出部やさんに細かなゴミや粘着物をこすりつけて、片手で投入出来るように着脱自在のスポンジやブラシを設けたことを特徴とする請求項１から７の目ザラ受け三角コーナーや容器。
【発明の詳細な説明】
【技術分野】
【０００１】
本発明は、台所の流し用ゴミ入れの三角コーナーおよび、ゴミ箱などの容器に関するものである。        
【背景技術】
【０００２】
従来の三角コーナーは、底面全体に水切り孔が複数開いていた。三角コーナーからゴミ箱に移す時に、水滴が落ち、それを防止するため、一辺の一番長い部分の底面を低く傾斜させ、その底面の一部と、その上の横面に水切り孔を設け、底面の大部分は水切り孔を設けないで、底面の水切り孔を設けない部分の上面に複数の丸みを帯びた細長い凸部を設けることができる発明が知られている。（特許文献１）
また、ゴミ箱などの容器は単なる直方体で、上部にビニール袋などを挟み込むリングが配設されたものが多く、そこにいろいろな形のフタがついたり、ペダル式フタ付きなどが多かった。
【０００３】
【特許文献１】特開２０１０―１５５７２２号公報
【発明の開示】
【発明が解決しようとする課題】
【０００４】
そのために、次のような問題点があった。
（イ）従来の台所の流し用ゴミ入れの三角コーナーは、排水口の目ザラに溜まったゴミを三角コーナーにゴミを入れるのに、三角コーナーの上に目ザラを持って行き空けるため、大きなゴミは入るが、細かいゴミは目ザラにくっついて落ちにくい。そのため排水口に目ザラを元にもどしても、細かいゴミが残り排水がうまくいかず流しに水が溜まることが多かった。
【０００５】
（ロ）  細かいゴミが目ザラに残り、一段と雑菌の繁殖を助け、排水口のヌルヌルの発生や、ニオイの発生の原因となり、食品衛生上好ましくなかった。
【０００６】
（ハ）飲食業などでは、お客の残した皿などからゴミ箱に投入するにも、マヨネーズ、ソース、ケチャップ、タレなど粘体物が皿に付着して、投入できにくく、両手で落とし入れるなど、効率が悪かった。
本発明は、以上の問題点を解決するためになされたものである。
【課題を解決するための手段】
【０００７】
三角コーナーの上部縁に排水口の目ザラをたたきつけ易くなるように、側壁の内面より内側に向かってせり出し、幅を広くした縁部分を一か所以上形成したことである。
【０００８】
三角コーナーの排水口の目ザラをたたきつけ易くなるように、側壁の内面より内側に向かってせり出し、幅を広くした縁部分を全周にわたり形成したことである。
【０００９】
三角コーナーの短辺の上部縁から長辺の上部縁まで、一か所以上のさんを渡し目ザラをたたきつけ易くなるように、形成したことである。
【００１０】
投入口が開放状態となり得る容器において、一方の側板上部より相対する側板に向かって突出部を一か所以上形成したことである。
【００１１】
投入口が開放状態となり得る容器において、一方の側板上部より相対する側板に向かって、さんを一か所以上渡すように形成したことである。
【００１２】
投入口が開放状態となり得る容器の袋押さえリングの一辺より、相対する一辺に向かって突出部を一か所以上形成したことである。
【００１３】
投入口が開放状態となり得る容器の袋押さえリングの一辺より、相対する一辺に向かって、さんを一か所以上渡すように形成したことである。
【００１４】
突出部やさんに細かなゴミや粘着物をこすりつけて、片手で投入出来るように着脱自在のスポンジやブラシを設けたことである。            
【発明の効果】
【００１５】
ゴミの溜まった排水口の目ザラを、三角コーナーのせり出した幅の広い縁部分にたたきつけることが出来るため、細かいゴミも三角コーナーの内側へ落とし入れることができる。そのため、元の排水口に目ザラを戻しても、流し台に水が溜まることが少なくなる。
【００１６】
また、細かいゴミが目ザラに残りにくく、雑菌の繁殖を防ぎ、排水口のヌルヌルの発生や、ニオイの発生の原因が少なくなり、食品衛生上好ましい環境づくりの向上に役立つ。
【００１７】
さらに、大きなゴミ箱においては、チリトリなどでゴミを集めても、突出部または、さんにたたきつけ衝撃を与えることが出来るため、細かなゴミも、簡単に落とし入れることが片手で出来る。
【００１８】
また、飲食業などでは、お客の残した皿などからゴミ箱に投入するにも、マヨネーズ、ソース、ケチャップ、タレなど粘体物が皿に付着していても、突出部または、さんにたたきつけ衝撃を与えたり、スポンジにこすりつけてそぎ落とすことが出来る。しかも、片手で出来るため、作業効率が高まる。
【発明を実施するための最良の形態】
【００１９】
以下、本発明の実施の形態を説明する。
【実施例１】
【００２０】
（イ）例えば、図１、図２に示すように、三角コーナー(１)の右上側の短辺(２)の中央付近と相対する長辺(３)の四分の三付近に、それぞれ三角コーナー(１)の側板の内面壁より、内側に向かって、せり出すように適当な大きさで、かつゴミが付着しにくいような、下面を曲面状のふくらみを持つように形成した突出部(４) (４Ａ)を形成する。
（ロ）三角コーナー(１)の三辺の外周の側板全体に、縁の上部より３センチメートル下に、水切りネットの網目を差し込め、かつ、スポンジで突出部(４) (４Ａ)の一部を包み込み太輪ゴムで止められるように、下向きの引っ掛け部(６)を適当な間隔で複数形成する。
（ハ）また、突出部(４) (４Ａ)の下面より３センチメートル下の内側の側壁に、スポンジで突出部(４) (４Ａ)の一部を包み込み、太輪ゴムで止められるような、下向きの引っ掛け部(６Ａ)を適当な間隔で複数形成する。
【実施例２】
【００２１】
（イ）例えば、図３、図４に示すように、三角コーナー(１)の三辺の上部縁の外周全体を、排水口の目ザラをたたきつけ易くなるように、側板の内面壁より内側に向かってせり出し、幅を広くした幅広縁(１１)を形成する。
（ロ）三角コーナー(１)の三辺の外周の側板全体に、縁の上部より３センチメートル下に、水切りネットの網目を差し込めるような、下向きの引っ掛け部(６)を適当な間隔で複数形成する。
（ハ）また、幅広縁(１１)の下面より３センチメートル下の内側の側壁に、スポンジで幅広縁(１１)の一部を包み込み太輪ゴムで止められるような、下向きの引っ掛け部(６Ａ)を複数形成する。
【実施例３】
【００２２】
（イ）例えば、図５、図６に示すように、三角コーナー(１)の右上側の短辺(２)の中央付近と相対する長辺(３)の四分の三付近に、排水口の目ザラをたたきつけ易くなるように、細長く下面にゴミが付着しにくいような、曲面状のふくらみを持つように形成したさん(１２)を渡し形成する。
（ロ）三角コーナー(１)の三辺の外周の側板全体に、縁の上部より３センチメートル下に、水切りネットの網目を差し込めるような、下向き引っ掛け部(６)を適当な間隔で複数形成する。
（ハ）また、さん(１２)の側壁に、スポンジでさん(１２)の一部を包み込み太輪ゴムで止められるような、先端が傘付き引っ掛け部(７)を適当な間隔で複数形成する
【実施例４】
【００２３】
例えば、図７に示すように、上部の開放されている直方体のゴミ箱（１３）において、直方体の短辺より約８センチメートル中側の長辺の左右に、長辺の縁から長辺の内壁より、相対する長辺に向かってせり出した略Ｌ字型突出部(５) (５Ａ)をそれぞれ１か所づつ計２か所形成する。その突出部の下面は、ゴミが付着しにくいように、曲面状のふくらみを持つように形成する。
また、略Ｌ字型突出部(５) (５Ａ)の側面に、スポンジで略Ｌ字型突出部(５) (５Ａ)の一部を包み込み太輪ゴムで止められるような、先端が傘つき引っ掛け部(７)をそれぞれ１か所づつ形成する。
【実施例５】
【００２４】
例えば、図８に示すように、上部の開放されている直方体のゴミ箱（１３）において、直方体の短辺より約８センチメートル中側の長辺の左右に、左右の長辺の縁から縁まで、長辺の内壁よりせり出すようにさん（１２Ａ）を形成する。そのさん（１２Ａ）の下面は、ゴミが付着しにくいように、曲面状のふくらみを持つように形成する。
また、さん（１２Ａ）の側面に、スポンジでさん（１２Ａ）の一部を包み込み太輪ゴムで止められるような、先端が傘付き引っ掛け部(７)をそれぞれ複数形成する。
【実施例６】
【００２５】
例えば、図９に示すように、よく見受けられる直方体のゴミ箱（１３）の上部に着脱自在のビニール袋押さえリング（１４）において、短辺より約８センチメートル中側の長辺の左右に、長辺の縁から長辺の内壁より、相対する長辺に向かってせり出した略Ｌ字型突出部(５) (５Ａ)をそれぞれ１か所づつ計２か所形成する。その突出部の下面は、ゴミが付着しにくいように、曲面状のふくらみを持つように形成する。
また略Ｌ字型突出部(５) (５Ａ)の側面に、スポンジで略Ｌ字型突出部(５) (５Ａ)の一部を包み込み太輪ゴムで止められるような、先端が傘付き引っ掛け部(７)をそれぞれ１か所づつ形成する。
【実施例７】
【００２６】
例えば、図１０に示すように、ゴミ箱（１３）の上部に着脱自在のビニール袋押さえリング（１４）において、短辺より約８センチメートル中側の長辺の左右に、左右の長辺の縁から縁まで、長辺の内壁よりせり出すようにさん（１２Ａ）を形成する。そのさん（１２Ａ）の下面は、ゴミが付着しにくいように、曲面状のふくらみを持つように形成する。
【００２７】
また、さん（１２Ａ）の側面に、スポンジでさん（１２Ａ）の一部を包み込み太輪ゴムで止められるような、先端が傘付き引っ掛け部(７)をそれぞれ複数形成する。
さらに、そこへゴミなどをスポンジ（１５）でこすり落とせるように、さん（１２Ａ）の一部をスポンジ（１５）で包み、太輪ゴム（１６）で先端が傘付き引っ掛け部(７)に引っかけ止める。
【００２８】
本発明は、以上の構成からなるので本発明を使用するときには、図１、図２、図３、図４、図５、図６に示した三角コーナー（１）においては、流し台の主に左隅に、三角コーナー（１）を配置し、流し台のゴミが溜まったら目ザラを片手で取り外し三角コーナー（１）の上に持っていき、目ザラをひっくり返して三角コーナー（１）の突出部（４）（４Ａ）、または、さん（１２）をめがけポンポンとたたきつけて、目ザラのゴミを三角コーナー（１）の中へ落とし入れる。突出部（４）（４Ａ）または、さん（１２）にたたきつけ衝撃を与えることが出来るため、細かなゴミも、簡単に落とし入れることが片手で出来る。さらに、突出部（４）（４Ａ）やさん（１２）に着脱自在のスポンジ（１５）やブラシを設け、こすり落とすことにより投入しやすくなり、しかも、片手で出来るため作業効率が高まる。また、流し台の目ザラが目づまりしにくくなるため、排水がスムーズになり、水が溜まりにくくなる。
そのため食品衛生上好ましい環境づくりの向上に役立つ。  
【００２９】
さらに、図７、図８、図９、図１０に示すように、大きなゴミ箱（１３）においては、チリトリなどでゴミを集めても、略Ｌ字型突出部（５）（５Ａ）または、さん（１２Ａ）にたたきつけ衝撃を与えることが出来るため、細かなゴミも、簡単に落とし入れることが片手で出来る。さらに、飲食業などでは、お客の残した皿などからゴミ箱（１３）に投入するにも、マヨネーズ、ソース、ケチャップ、タレなど粘体物が皿に付着していても、略Ｌ字型突出部（５）（５Ａ）または、さん（１２Ａ）にたたきつけ衝撃を与えたり、こすりつけてそぎ落とすことが出来る。さらに、略Ｌ字型突出部（５）（５Ａ）または、さん（１２Ａ）に着脱自在のスポンジ（１５）やブラシを設け、こすり落とすことにより投入しやすくなり、しかも、片手で出来るため、作業効率が高まる。
【００３０】
本発明は、これまで説明した三角コーナー（１）や開放式ゴミ箱（１３）に限らず、ぺダル式フタ付きゴミ箱、各種フタ付きゴミ箱や、いろいろな形の容器および、袋押さえリング（１４）など幅広く応用出来る。
【図面の簡単な説明】
【００３１】
【図１】本発明の実施例１の斜視図
【図２】本発明の実施例１の図１におけるＡ―Ａ線断面図
【図３】本発明の実施例２の斜視図
【図４】本発明の実施例２の図３におけるＢ―Ｂ線断面図
【図５】本発明の実施例３の斜視図
【図６】本発明の実施例３の図５におけるＣ―Ｃ線断面図
【図７】本発明の実施例４の斜視図
【図８】本発明の実施例５の斜視図
【図９】本発明の実施例６の斜視図
【図１０】本発明の実施例７の斜視図
【符号の説明】
【００３２】
１  三角コーナー  
２  短辺
３  長辺  
４、４Ａ      突出部
５、５Ａ、略Ｌ字型突出部
６、６Ａ  引っ掛け部
７    傘付き引っ掛け部
８    底面孔
９    足
１０  水切り孔
１１  幅広縁  
１２、１２Ａ、さん
１３  ゴミ箱
１４  袋押さえリング
１５  スポンジ
１６  太輪ゴム
【図１】
2015040083.tif 000003
【図２】
2015040083.tif 000004
【図３】
2015040083.tif 000005
【図４】
2015040083.tif 000006
【図５】
2015040083.tif 000007
【図６】
2015040083.tif 000008
【図７】
2015040083.tif 000009
【図８】
2015040083.tif 000010
【図９】
2015040083.tif 000011
【図１０】
2015040083.tif 000012